(57)【要約】【課題】商品をより見映え良く陳列し、販売促進を図ること。【解決手段】ケース本体１０の内部に設けた商品陳列棚１７に商品Ｇを陳列するとともに、ケース本体１０に設けた照明手段２０によって商品陳列棚１７の商品Ｇに照明光を照射するようにしたショーケースであって、ケース本体１０の上部において商品陳列棚１７の前端よりも前方側となる部位に配設した照明用光源２２と、照明用光源２２からの照明光を商品陳列棚１７に集光させるための反射板２３とを備えて照明手段２０を構成し、商品陳列棚１７の最前列に陳列した商品Ｇの前面ｇ１の照度が上面ｇ２の照度以上となるようにしている。【選択図】        図１
2005299964.tif 000002
【特許請求の範囲】
【請求項１】
ケース本体の内部に設けた商品陳列部に商品を陳列するとともに、ケース本体に設けた照明手段によって商品陳列部の商品に照明光を照射するようにしたショーケースであって、
商品陳列部の最前列に陳列した商品の前面の照度が上面の照度以上となる態様でケース本体に照明手段を配設したことを特徴とするショーケース。
【請求項２】
前記照明手段は、
ケース本体の上部において商品陳列部の前端よりも前方側となる部位に配設した照明用光源と、
照明用光源からの照明光を商品陳列部に集光させるための反射板と
を備えたことを特徴とする請求項１に記載のショーケース。
【請求項３】
照明用光源をケース本体に取り付けるための光源取付手段によって反射板をケース本体に保持させたことを特徴とする請求項２に記載のショーケース。
【請求項４】
商品陳列部を含むケース本体の内部を暗色で構成したことを特徴とする請求項１に記載のショーケース。
【発明の詳細な説明】
【技術分野】
【０００１】
本発明は、ケース本体の内部に設けた商品陳列部に商品を陳列するとともに、ケース本体に設けた照明手段によって商品陳列部の商品に照明光を照射するようにしたショーケースに関するものである。
【背景技術】
【０００２】
購買客が商品を直接手に取って購入できるように商品陳列部に商品を陳列するショーケースでは、商品の販売促進を考慮した場合、商品を如何に見映え良く陳列できるかがきわめて重要な課題となる。つまり、ショーケースに見映え良く商品を陳列することができれば、購買客の購買意欲がより大きなものとなり、商品販売数の増大を期待することができるようになる。
【０００３】
このため従来では、ケース本体の上部前方に設けた照明用光源の前方に反射板を垂れ下げるようにしたもの、あるいは照明用光源に直接冷風が吹き当たらないように構成したものが提供されている。すなわち、前者のショーケースは、照明用光源からの照明光を反射させる反射板の設計自由度を増し、陳列した商品全体の照度バランスを良くするようにしたものであり、後者のショーケースは、照明用光源が冷風によって冷やされることに起因した光度低下を防止し、陳列商品を明るく照らし出すようにしたものである。また、それぞれにおいては、ひな壇状に構成した商品陳列部となる商品陳列棚の前端部下面に照明用光源を設けることにより、ショーケースの内部に陳列した商品をより明るく照らし出すようにしている（例えば、特許文献１および特許文献２参照）。
【０００４】
【特許文献１】特開２００２−２５７４６９号公報
【特許文献２】特開平８−２２６７４０号公報
【発明の開示】
【発明が解決しようとする課題】
【０００５】
しかしながら、上記のように構成したショーケースにあっても、実際に商品陳列部に陳列された商品は、購買客に対向する前面が影となって薄暗くなる場合が多く、必ずしも見映えが良いとはいえないのが実情である。
【０００６】
本発明は、上記実情に鑑みて、商品をより見映え良く陳列し、販売促進を図ることのできるショーケースを提供することを目的とする。
【課題を解決するための手段】
【０００７】
上記の目的を達成するために、本発明の請求項１に係るショーケースは、ケース本体の内部に設けた商品陳列部に商品を陳列するとともに、ケース本体に設けた照明手段によって商品陳列部の商品に照明光を照射するようにしたショーケースであって、商品陳列部の最前列に陳列した商品の前面の照度が上面の照度以上となる態様でケース本体に照明手段を配設したことを特徴とする。
【０００８】
また、本発明の請求項２に係るショーケースは、上述した請求項１において、前記照明手段が、ケース本体の上部において商品陳列部の前端よりも前方側となる部位に配設した照明用光源と、照明用光源からの照明光を商品陳列部に集光させるための反射板とを備えたことを特徴とする。
【０００９】
また、本発明の請求項３に係るショーケースは、上述した請求項２において、照明用光源をケース本体に取り付けるための光源取付手段によって反射板をケース本体に保持させたことを特徴とする。
【００１０】
また、本発明の請求項４に係るショーケースは、上述した請求項１において、商品陳列部を含むケース本体の内部を暗色で構成したことを特徴とする。
【発明の効果】
【００１１】
本発明によれば、商品陳列部の最前列に陳列した商品の前面の照度が上面の照度以上となる態様でケース本体に照明手段を配設しているため、購買客に対向する商品の前面が上面よりも明るく照らし出されることによって商品の見映えがより良好となり、販売促進を図ることが可能となる。
【発明を実施するための最良の形態】
【００１２】
以下に添付図面を参照して、本発明に係るショーケースの好適な実施の形態について詳細に説明する。
【００１３】
図１は、本発明の実施の形態であるショーケースを示したものである。ここで例示するショーケースは、スーパーマーケット等の店舗において冷凍食品や生鮮食品等の商品Ｇを陳列販売するための所謂オープンショーケースと称されるもので、ケース本体１０を備えている。ケース本体１０は、前面および両側面が開口した形状を成すもので、外表面を構成する外箱１１と、内表面を構成する内箱１２とを備えて構成してある。
【００１４】
外箱１１は、ケース本体１０の底面を構成する船底壁部１１ａと、船底壁部１１ａの後端縁から上方に向けて延在した外方背壁部１１ｂと、外方背壁部１１ｂの上端縁から前方に向けて延在した外方上壁部１１ｃとを有している。内箱１２は、外箱１１の船底壁部１１ａよりも上方に位置する部位に船底壁部１１ａから離隔する態様で設けたデッキパン部１２ａと、デッキパン部１２ａの後端縁から上方に向けて延在した内方背壁部１２ｂと、内方背壁部１２ｂの上端縁から前方に向けて延在した内方上壁部１２ｃとを有し、これらデッキパン部１２ａ、内方背壁部１２ｂおよび内方上壁部１２ｃによって囲まれる空間に商品収容庫１３を画成している。
【００１５】
これら外箱１１と内箱１２との間には、船底壁部１１ａとデッキパン部１２ａとの間の下部ダクト１４ａ、外方背壁部１１ｂと内方背壁部１２ｂとの間の背面ダクト１４ｂ、および外方上壁部１１ｃと内方上壁部１２ｃとの間の上部ダクト１４ｃを有した一連の通気通路１４が構成してある。この通気通路１４は、内方上壁部１２ｃの前端部に下方に向けて開口した吹出口１４ｄを有する一方、船底壁部１１ａの前端部とデッキパン部１２ａの前端部との間に上方に向けて開口した吸込口１４ｅを有し、また下部ダクト１４ａの内部に送風ファン１５および冷凍ユニットの蒸発器１６を備えている。
【００１６】
このケース本体１０の商品収容庫１３には、商品陳列部である商品陳列棚１７が上下方向に沿って複数、本実施の形態では４段設けてある。商品陳列棚１７は、それぞれ内箱１２の内方背壁部１２ｂから前方に向けて互いに平行となる態様で延在したもので、下方に向かうに従って漸次全長が長くなるように、所謂ひな壇状に構成してある。
【００１７】
図には明示していないが、上述した内箱１２の内表面、並びに商品陳列棚１７の外表面には、いずれも暗色を呈するように、例えば黒色の塗装が施してある。より具体的には、デッキパン部１２ａの上面、内方背壁部１２ｂの前面、内方上壁部１２ｃの下面、商品陳列棚１７の上下両面にそれぞれ黒色の塗装が施してある。
【００１８】
一方、上記ショーケースには、ケース本体１０における外方上壁部１１ｃの前端部にエキスタートップと称される照明手段２０が設けてある。照明手段２０は、図２に示すように、外方上壁部１１ｃの前端部から前方に向けて突設したトップケース２１と照明用光源２２と反射板２３とを備えている。
【００１９】
トップケース２１は、最下段に位置する商品陳列棚１７の前端縁よりもさらに前方に突出したボックス状部分であり、その下方に向く部位にライトレール２４を構成している。ライトレール２４は、後方に向けて漸次上方に傾斜する態様で延在した平板状部分である。このライトレール２４は、鉛直面に対する傾斜角度αが６５〜８５°の範囲にあることが好ましく、７５°の傾斜角度αをもつのがより好ましい。
【００２０】
照明用光源２２は、トップケース２１のライトレール２４から商品陳列棚１７に陳列した商品Ｇに照明光を照射するためのものである。本実施の形態では、ランプホルダ２５（光源取付手段）を介して直管型の蛍光灯をライトレール２４の前後２列配設することによって照明用光源２２を構成している。
【００２１】
ランプホルダ２５は、図３の拡大図に示すように、ホルダ部２５ａと、挿入部２５ｂと、一対の係止部２５ｃと、一対の押圧部２５ｄとを有したもので、例えば弾性を有した合成樹脂によってホルダ部２５ａ、挿入部２５ｂ、係止部２５ｃ及び押圧部２５ｄを一体成形してある。ホルダ部２５ａは、照明用光源２２の外周を囲繞する円環状部分であり、その一部に照明用光源２２を挿抜させるための開口２５ｅを有している。挿入部２５ｂは、ホルダ部２５ａの外周面から径外方向に突出した部分である。一対の係止部２５ｃは、挿入部２５ｂの先端から基端に向けて互いに漸次拡開する態様で延在した部分である。これら一対の係止部２５ｃは、外力に応じて互いに適宜拡縮することが可能である。押圧部２５ｄは、ホルダ部２５ａと挿入部２５ｂとの連結部から径外方向に向けて互いに拡開する態様で延在した部分である。
【００２２】
このランプホルダ２５は、一対の係止部２５ｃを互いに縮小させた状態でライトレール２４の装着孔２４ａに挿入部２５ｂを貫挿させれば、ライトレール２４の裏面側において係止部２５ｃが弾性復元力により互いに拡開し、そのままライトレール２４に装着されることになる。
【００２３】
反射板２３は、例えばアルミニウムのように、反射率の高い材質によって薄板状に成形したもので、図２に示すように、それぞれの照明用光源２２からの照明光を集光し、該集光した照明光がライトレール２４に対してほぼ直角方向に進行するように構成してある。この反射板２３には、図４に示すように、上述したランプホルダ２５に対応する部位に矩形状の取付孔２３ａが設けてある。取付孔２３ａは、ランプホルダ２５に設けた一対の押圧部２５ｄの先端部間距離よりも小さい幅に構成したものである。
【００２４】
上述した反射板２３は、取付孔２３ａをライトレール２４の装着孔２４ａに合致させた状態でランプホルダ２５の挿入部２５ｂを装着孔２４ａに貫挿させることにより、ランプホルダ２５とともにライトレール２４に保持させてある。より具体的には、ライトレール２４に装着したランプホルダ２５の押圧部２５ｄとライトレール２４との間に反射板２３を押圧挟持するようにしている。
【００２５】
上記のように構成したショーケースでは、送風ファン１５を駆動すると、吸込口１４ｅから吸引した空気が下部ダクト１４ａ、背面ダクト１４ｂ、上部ダクト１４ｃを順次通過した後、吹出口１４ｄから外部に排出されることになる。吹出口１４ｄから排出された空気は、再び吸込口１４ｅから吸引され、この間、ケース本体１０の前面開口にエアカーテンＡＣを形成するとともに、このエアカーテンＡＣによって囲まれた商品収容庫１３の内部に供給される。従って、冷凍ユニットを駆動すれば、蒸発器１６によって冷却された冷気によって商品陳列棚１７に陳列した商品Ｇを効率良く冷却することが可能になる。
【００２６】
一方、上述した照明手段２０の照明用光源２２を点灯すると、反射板２３によって集光された照射光が効率良く商品陳列棚１７に照射され、これに陳列した商品Ｇが明るく照らし出されることになる。ここで、上記ショーケースでは、ケース本体１０の上部において商品陳列棚１７の前端よりも前方側となる部位に照明用光源２２を配設し、かつこの照明用光源２２からの照明光を反射板２３によって集光させているため、各商品陳列棚１７に陳列された商品Ｇに対してより前方側から照明光が照射されることになる。しかも、従前のショーケースで必須となっている商品陳列棚１７の下面の照明用光源を省略しているため、商品Ｇに対して後方側から照明光が照射されることがない。従って、各商品陳列棚１７の最前列に陳列された商品Ｇは、その前面ｇ１の照度が上面ｇ２の照度よりも高くなり、購買客に対向する前面ｇ１が影となって薄暗くなる事態を招来する虞れもない。この結果、購買客の購買意欲をより大きなものとし、商品販売数の増大を期待することができるようになる。
【００２７】
また、内箱１２の内表面、並びに商品陳列棚１７の外表面にそれぞれ黒色の塗装が施してあるため、照明光が当たる部分と当たらない部分とを認識しにくいものとすることができる。つまり、商品収容庫１３の内部が黒色であるため、照明光が当たっている部分と照明光が当たらずに陰となっている部分との照度の差が小さくなり、両者の差を認識しにくくなる。このため、商品収容庫１３の照明斑も判明しづらくなり、商品収容庫１３の照度バランスが向上し、商品Ｇを見映え良く展示することができる。
【００２８】
さらに、商品陳列棚１７の下面に照明用光源２２がないため、照明用光源２２の発熱負荷も低減することになり、大幅な省エネルギー効果を奏することにも繋がる。
【００２９】
またさらに、ランプホルダ２５によって反射板２３をライトレール２４に保持させるようにしているため、反射板２３を個別に取り付けるためのネジを省略することができるばかりでなく、その着脱作業も容易となる。従って、例えばホコリが付着して反射板２３の清掃が必要になった場合にも、その作業を容易に行うことが可能になる。
【００３０】
尚、上述した実施の形態では、商品陳列棚１７の下面の照明用光源を省略しているが、商品陳列部の最前列に陳列した商品Ｇの前面ｇ１の照度が上面ｇ２の照度以上となれば、必ずしも省略する必要はない。
【００３１】
さらに、上述した実施の形態では、商品陳列部として上下に商品陳列棚１７を４段設けたものを例示しているが、必ずしも４段である必要はない。また、下方に向かうに従って漸次全長が長くなるように商品陳列棚１７をひな壇状に構成してあるが、必ずしもひな壇状に構成する必要はない。
【図面の簡単な説明】
【００３２】
【図１】本発明の実施の形態であるショーケースの断面側面図である。
【図２】図１に示したショーケースの要部拡大断面側面図である。
【図３】図１に示したショーケースのケース本体に対する反射板および光源取付手段の取付態様を示す要部分解斜視図である。
【図４】図１に示したショーケースのケース本体に対する反射板および光源取付手段の取付態様を示す要部拡大断面図である。
【符号の説明】
【００３３】
１０      ケース本体
１７      商品陳列棚
２０      照明手段
２１      トップケース
２２      照明用光源
２３      反射板
２３ａ      取付孔
２４      ライトレール
２４ａ      装着孔
２５      ランプホルダ
２５ａ      ホルダ部
２５ｂ      挿入部
２５ｃ      係止部
２５ｄ      押圧部
２５ｅ      開口
Ｇ      商品
ｇ１      商品の前面
ｇ２      商品の上面
【図１】
2005299964.tif 000003
【図２】
2005299964.tif 000004
【図３】
2005299964.tif 000005
【図４】
2005299964.tif 000006